(57)【要約】【課題】手元にある研磨装置にて容易に金型ダイの金型ダイの肩Ｒ部の研磨を行い、金型ダイの交換時期を遅らせて経費の低減化、および加工コストの低減化を達成できるようにした金型ダイ肩Ｒ再生処理装置を提供する。【解決手段】本発明は金型ダイの肩Ｒ部の研磨処理装置であって、少なくともボックス２内部に回転用駆動モータ３を備え、回転用駆動モータ３を起動しうる電源スイッチ４および回転速度コントローラ５、ボックス２上面に突出している回転用駆動モータ３の回転軸６に取り付けるダイ支持治具７より構成される事を特徴とし、金型ダイ上面のダイ刃を研磨後の、エッジのついた金型ダイ上面の肩Ｒ部を、容易に全周にわたって均一で滑らかに研磨することを可能とした。【選択図】図１
2008173736.tif 000002
【特許請求の範囲】
【請求項１】
金型ダイ上面のダイ刃の再研磨後に行う金型ダイ上面の肩Ｒ部の研磨処理において、金型ダイを回転させることにより金型ダイ上面の肩Ｒ部の全周にわたって均一で滑らかな研磨仕上げを可能としたことを特徴とする金型ダイ肩Ｒ再生処理装置
【請求項２】
前記金型ダイ肩Ｒ再生処理装置にて、金型ダイを固定する治具を金型ダイの規格サイズの全種類用意することにより外径の異なる全ての金型ダイに対応することが可能であることを特徴とする請求項１に記載の金型ダイ肩Ｒ再生処理装置
【請求項３】
前記金型ダイ肩Ｒ再生処理装置にて、金型ダイの回転速度を調整可能とすることにより外径の異なる全てのサイズの金型ダイに対応することが可能であることを特徴とする請求項１または２に記載の金型ダイ肩Ｒ再生処理装置
【発明の詳細な説明】
【技術分野】
【０００１】
本発明は、金型ダイの肩Ｒ部の研磨処理を容易に行うための金型ダイ肩Ｒ再生処理装置に関するものである。
【背景技術】
【０００２】
タレットパンチプレスのようなパンチプレスでの打ち抜き加工を繰り返すことによって金型ダイの刃先は摩耗し、打ち抜き穴のばり高さやだれが増加し、せん断面の劣化や打ち抜き寸法精度の悪化が製品に現れる。この際に金型ダイの上面を再研磨することで金型を再生し打ち抜き穴のばり高さやだれを抑え、打ち抜き寸法精度を保つことが知られている。
【０００３】
しかし、繰り返し金型ダイの上面の再研磨を行うと金型ダイの肩Ｒ部が上面から肩Ｒ部にかけて連続して滑らかＲではなく、上面から肩Ｒ部にエッジができてしまい、このエッジによってパンチプレス処理時に金型ダイの上面を製品が通過し接触する際に傷をつけてしまう問題がある。
【０００４】
上記の製品への傷の対策として従来は、肩Ｒ部の研磨処理を全て手動にて行っていたため、金型ダイ新品時と同様な全周にわたって均一で滑らかな円弧を描くように研磨処理することは不可能である。そのため手間と労力はかかるが製品の傷の減少には至らない問題があった。
【０００５】
上記の結果、金型ダイのダイ刃の再研磨を行い寸法精度を保つとともに、金型ダイの寿命を延ばして経費の低減化、および加工コストの低減化をおこなうと製品に傷をつけてしまう問題があった。
【発明の開示】
【発明が解決しようとする課題】
【０００６】
解決しようとする問題点は、金型ダイ上面の肩Ｒ部の研磨処理において全て手動では全周にわたって均一に研磨することは困難である点である。
【課題を解決するための手段】
【０００７】
上記の問題を解決するため本発明は、基台に回転軸を設け、その回転軸に金型ダイを固定、回転させながら肩Ｒ部を研摩ができるよう構成し、金型ダイ上面のダイ刃を研磨後の、エッジのついた金型ダイ上面の肩Ｒ部を容易に全周にわたって均一で滑らかに研磨することが可能となることを最も主要な特徴とする。
【発明の効果】
【０００８】
本発明の金型ダイ肩Ｒ再生処理装置は、金型ダイをダイ支持治具にて固定し金型ダイ自体を回転させる事によって、容易に金型ダイ上面の肩Ｒ部の研磨を行うことが可能となり、また様々なサイズのダイ支持治具を用意することにより外径の異なる金型ダイにも対応が容易であり、さらに回転速度を調節可能とすることでも外径の異なる金型ダイにも対応することが可能である。
【０００９】
本発明によればパンチプレスでの打ち抜き加工にて打ち抜き穴のばり高さやだれが増加し、せん断面の劣化や打ち抜き寸法精度の悪化したタイミングにて、金型ダイ上面のダイ刃を研磨後の肩Ｒ部の再生処理を手軽に行うことが可能となる。したがって金型ダイは長期安定して繰返ししよう可能となるため、金型ダイの交換を遅らせることにより経費の大幅削減と加工コストの低減化に寄与できるという優れた効果を奏するものである。
【発明を実施するための最良の形態】
【００１０】
金型ダイ上面のダイ刃を研磨後の、エッジのついた金型ダイ上面の肩Ｒ部を全周にわたって容易に均一で滑らかに研磨するという目的を、基台に金型ダイを回転させるための駆動モータを備え、駆動モータモータのコントローラおよび回動する金型ダイを支持する治具で構成し、上記目的を最小の部品点数で実現した。
【実施例】
【００１１】
図１および図２を参照するに本発明措置である金型ダイ肩Ｒ再生処理装置１は、ボックス２内部に回転用駆動モータ３を備え、回転用駆動モータ３を起動しうる電源スイッチ４および回転速度コントローラ５、ボックス２上面に突出している回転用駆動モータ３の回転軸６に取り付けるダイ支持治具７より構成される。
【００１２】
金型ダイ８を図３のダイ支持治具７のダイ支持治具切り欠き部９に金型ダイ８のノックピンを合わせダイ支持治具７に系合し、ダイ支持治具７にボルト９を捩じ込むことにより金型ダイ８をダイ支持治具７に押し付けることにより支持固定する。
【００１３】
上記構成のダイ支持治具７に金型ダイ８を契合後、回転用駆動モータ３を起動しダイ支持治具６および金型ダイ８を回転させ、回転速度コントローラ５にて回転速度の調節を適宜行いながら砥石１１を使用し金型ダイ８の肩Ｒ部の研磨を行う。
【００１４】
外径の異なる金型ダイを研磨する場合には、その金型ダイの外径に合わせて用意された金型ダイ支持治具を上記と同様に使用し、モーターの回転速度を金型ダイの外径が小さいものは回転速度を速く、金型ダイの外径が大きいものは回転速度を遅く、と金型ダイ外周の速度を一定に保つことができるよう適宜速度を調整し、容易に研磨を行うことが可能である。
【００１５】
金型ダイ８が回転している状態なので金型ダイ肩Ｒ部の形状、ブレが金型ダイ側面より明瞭に確認可能となるので、研磨の具合を目視にて容易に確認しながら滑らかな研磨を行うことが可能である。
【産業上の利用可能性】
【００１６】
本発明装置である金型ダイ肩Ｒ再生処理装置を備えておくことにより、金型ダイ上面のダイ刃を研磨後の肩Ｒ部の研磨処理を容易に行うことが可能となることにより、金型ダイの交換を遅らせ経費および加工コストの低減化を達成できるようになるもである。
【図面の簡単な説明】
【００１７】
【図１】この発明を実施する一実施例の金型ダイ肩Ｒ再生処理装置の側面図である。
【図２】図１における斜視図である。
【図３】金型ダイを支持するダイ用支持治具の斜視図である。
【図４】金型ダイの上面肩Ｒ部のエッジ部を研削工具で研磨する実施状態を示した図面代用写真である。（実施例）
【符号の説明】
【００１８】
１    金型ダイ肩Ｒ再生処理装置
２    ボックス
３    回転用駆動モータ
４    電源スイッチ
５    回転速度コントローラ
６    回転軸
７    ダイ支持治具
８    金型ダイ
９    ダイ支持治具切り欠き部
【図１】
2008173736.tif 000003
【図２】
2008173736.tif 000004
【図３】
2008173736.tif 000005
【図４】
2008173736.tif 000006